(57)【特許請求の範囲】
【請求項１】
構造性複屈折をもつ複数のサブ波長構造領域が基板の表層部に配置された光学素子であって、
前記サブ波長構造領域は、複数の第１サブ波長構造領域と複数の第２サブ波長構造領域を含み、
前記第１サブ波長構造領域及び前記第２サブ波長構造領域は、それぞれ、使用する光の波長よりも短い周期で繰り返して配列された溝をもち、前記溝の配列方向である光学軸方向を備え、
前記第１サブ波長構造領域は互いに間隔をもって配置されており、
前記第２サブ波長構造領域は、前記第１サブ波長構造領域の間に配置され、ある前記第１サブ波長構造領域から隣の前記第１サブ波長構造領域にわたって前記光学軸方向がゆるやかに変化するように前記光学軸方向が設定されている光学素子。
【請求項２】
複数の前記第１サブ波長構造領域は、不規則な間隔をもって配置されている請求項１に記載の光学素子。
【請求項３】
前記第１サブ波長構造領域として、領域の大きさが互いに異なっているものが含まれている請求項１又は２に記載の光学素子。
【請求項４】
前記第１サブ波長構造領域として、領域の形状が互いに異なっているものが含まれている請求項１から３のいずれか一項に記載の光学素子。
【請求項５】
前記第２サブ波長構造領域として、前記第１サブ波長構造領域とは領域の大きさもしくは領域の形状又はそれらの両方が異なっているものが含まれている請求項１から４のいずれか一項に記載の光学素子。
【請求項６】
前記第１サブ波長構造領域同士が互いに隣り合って配置されている箇所が含まれており、
隣り合う前記第１サブ波長構造領域同士の前記光学軸方向がなす角度は９０度未満である請求項１から５のいずれか一項に記載の光学素子。
【請求項７】
隣り合う前記第１サブ波長構造領域同士の前記光学軸方向がなす前記角度は６７.５度以下である請求項６に記載の光学素子。
【発明の詳細な説明】
【技術分野】
【０００１】
本発明は、光学素子に関するものである。
【背景技術】
【０００２】
光学素子は、レーザプリンタなどで問題となる偏光を解消させるための光学部品として用いられたり、光学露光装置や光学測定機などの光学機器の光学系のスペックルの発生を低減させるスペックル低減素子として用いられたりしている。
【０００３】
レーザからの光をマイクロレンズアレイやフライアイレンズを通すことによってひとつの光束が複数の光束に分割された光は偏光方向が同一方向に揃っている。そして、光学系の中で特定の条件が整うと、分割された光がそれぞれ迷光の原因となって光学系の途中で光が強めあう点（スペックル）が生じる場合がある。
【０００４】
スペックルは、いろいろな光学系で発生することが知られている。スペックルの発生を解消する方法は種々提案されている。しかし、有効な解決策は確立されていない。
【０００５】
スペックルを解消する方法のひとつとしては、偏光状態が様々になったいわゆるランダム偏光状態になっていることが好ましい。偏光が不揃いであると、光の干渉が起こりにくいからである。
【０００６】
光学素子として、サブ波長構造（Sub-Wavelength Structures；ＳＷＳ）を備えたものが知られている（例えば特許文献１を参照。）。サブ波長構造は、使用する光の波長よりも短い周期で繰り返して配列された溝の周期構造である。
【０００７】
光の波長より短いピッチをもつ溝の周期構造は、周期をもつ方向ともたない方向で互いに異なる有効屈折率ｎＴＥ，ｎＴＭをもち、あたかも複屈折材料であるかのように振舞う。この有効屈折率の差によって各偏波方向の光の伝播速度に差ができるため、サブ波長構造を通過する光の偏光状態が変化する。
【０００８】
サブ波長構造は、構造の設計によって複屈折やそれらの分散を自由に制御できる。サブ波長構造のこの特性を利用して、偏光板、波長板、波長分離素子など、様々な製品が展開されている。
【０００９】
サブ波長構造を備えた光学素子において、サブ波長構造の溝の配列方向である光学軸方向を任意に変化させるために、光学機能を発生する部分は複数のサブ波長構造領域に細かく分割されている。
【先行技術文献】
【特許文献】
【００１０】
【特許文献１】特開２００４−３４１４５３号公報
【特許文献２】特開２００８−２９８８６９号公報
【発明の概要】
【発明が解決しようとする課題】
【００１１】
光学素子において光が透過する部分が複数のサブ波長構造領域に分割されていると、サブ波長構造領域の大きさに起因する回折光が発生し、光の透過率（０次光）が低下する。
【００１２】
例えば、複数のサブ波長領域における光学軸方向の配置について、ランダム配置などの規則性のない配置を取ることにより、回折光（１次光、−１次光など）を強調されにくくすることは可能である。
【００１３】
しかし、ランダム配置の場合は回折光の発生自体を抑えているわけではなく、発生する回折光における回折角度の種類を増やしているだけであり、０次光透過率の低減を抑制しているわけではない。よって光の利用効率向上という観点においては問題があった。
【００１４】
本発明は、構造性複屈折をもつ複数のサブ波長構造領域が基板の表層部に配置された光学素子において、透過する光の回折光の発生を低減することを目的とする。
【課題を解決するための手段】
【００１５】
本発明にかかる光学素子は、構造性複屈折をもつ複数のサブ波長構造領域が基板の表層部に配置された光学素子であって、上記サブ波長構造領域は、複数の第１サブ波長構造領域と複数の第２サブ波長構造領域を含み、上記第１サブ波長構造領域及び上記第２サブ波長構造領域は、それぞれ、使用する光の波長よりも短い周期で繰り返して配列された溝をもち、上記溝の配列方向である光学軸方向を備え、上記第１サブ波長構造領域は互いに間隔をもって配置されており、上記第２サブ波長構造領域は、上記第１サブ波長構造領域の間に配置され、ある上記第１サブ波長構造領域から隣の上記第１サブ波長構造領域にわたって上記光学軸方向がゆるやかに変化するように上記光学軸方向が設定されているものである。
【発明の効果】
【００１６】
本発明の光学素子は、透過する光の回折光の発生を低減することができる。
【図面の簡単な説明】
【００１７】
【図１】光学素子の一実施例のサブ波長構造領域を概略的に示した平面図である。
【図２】光学素子におけるサブ波長構造体を説明するための概略的な断面図である。
【図３】光学素子の他の実施例のサブ波長構造領域を概略的に示した平面図である。
【図４】光学素子のさらに他の実施例のサブ波長構造領域を概略的に示した平面図である。
【図５】光学素子のさらに他の実施例のサブ波長構造領域を概略的に示した平面図である。
【図６】光学素子のさらに他の実施例のサブ波長構造領域を概略的に示した平面図である。
【図７】図６に示されたサブ波長構造領域の配列における第１サブ波長構造領域と第２サブ波長構造領域の位置を示した平面図である。
【図８】第１サブ波長構造領域を特定する方法を説明するための図である。
【図９】光学素子のさらに他の実施例のサブ波長構造領域を概略的に示した平面図である。
【図１０】図９に示されたサブ波長構造領域の配列における第１サブ波長構造領域と第２サブ波長構造領域の位置を示した平面図である。
【発明を実施するための形態】
【００１８】
本発明の光学素子において、例えば、複数の上記第１サブ波長構造領域は、不規則な間隔をもって配置されているようにしてもよい。ただし、本発明の光学素子において、複数の上記第１サブ波長構造領域は均等な間隔をもって配置されていてもよい。
【００１９】
また、本発明の光学素子において、例えば、上記第１サブ波長構造領域として、領域の大きさが互いに異なっているものが含まれているようにしてもよい。なお、上記第１サブ波長構造領域として、領域の大きさが同じであるものが含まれていてもよい。また、本発明の光学素子において、複数の上記第１サブ波長構造領域は、領域の大きさがすべて同じであってもよい。
【００２０】
また、本発明の光学素子において、例えば、上記第１サブ波長構造領域として、領域の形状が互いに異なっているものが含まれているようにしてもよい。なお、上記第１サブ波長構造領域として、領域の形状が同じであるものが含まれていてもよい。また、本発明の光学素子において、複数の上記第１サブ波長構造領域は、領域の形状がすべて同じであってもよい。
【００２１】
また、本発明の光学素子において、例えば、上記第２サブ波長構造領域として、上記第１サブ波長構造領域とは領域の大きさもしくは領域の形状又はそれらの両方が異なっているものが含まれているようにしてもよい。なお、上記第２サブ波長構造領域として、上記第１サブ波長構造領域と領域の大きさ及び領域の形状が同じであるものが含まれていてもよい。また、本発明の光学素子において、複数の上記第２サブ波長構造領域は、領域の大きさもしくは領域の形状又はそれらの両方がすべて同じであってもよし、互いに異なっているものが含まれていてもよい。
【００２２】
本発明の光学素子において、例えば、上記第１サブ波長構造領域同士が互いに隣り合って配置されている箇所が含まれており、隣り合う上記第１サブ波長構造領域同士の上記光学軸方向がなす角度は９０度未満であるようにしてもよい。
【００２３】
また、本発明の光学素子において、例えば、隣り合う上記サブ波長構造領域同士の上記光学軸方向がなす上記角度は、好ましくは６７.５度以下、さらに好ましくは４５度以下、さらに好ましくは２２.５度以下である。
【００２４】
図１は、光学素子の一実施例のサブ波長構造領域を概略的に示した平面図である。図２は、光学素子におけるサブ波長構造体を説明するための概略的な断面図である。まず、図２を参照してサブ波長構造体について説明する。
【００２５】
図２に示されるように、光学素子１は、基板３の表層部に、使用する光の波長よりも短い周期で繰り返して配列された溝５を備えている。繰り返して配列された溝５によって、凹凸周期（ピッチ）Ｐを有するサブ波長構造が形成されている。基板３は例えば高透過率の二酸化ケイ素で形成されている。
【００２６】
サブ波長構造体の複屈折作用について、図２を参照して説明する。サブ波長凹凸構造の媒質として空気と屈折率ｎの媒質を想定する。屈折率ｎの凸条のランドの幅がＬ、空気層からなる凹条の溝５の幅がＳであり、Ｐ＝Ｌ＋Ｓである。また、Ｌ／Ｐはフィリングファクタ（Ｆ）と呼ばれる。ｄは溝５の深さである。
【００２７】
周期Ｐの目安としては、使用する最も短い入射光の波長より短い周期で、より望ましくは使用波長の半分以下の周期とする。周期Ｐが入射光の波長よりも短い周期構造は入射光を回折することはないため入射光はそのまま透過し、入射光に対して複屈折特性を示す。すなわち、入射光の偏光方向に応じて異なる屈折率を示す。その結果、構造に関するパラメータを調整することにより位相差を任意に設定することができるため各種波長板を実現できる。
【００２８】
構造性複屈折とは、屈折率の異なる２種類の媒質を光の波長よりも短い周期でストライプ状に配置したとき、ストライプに平行な偏光成分（ＴＥ波）とストライプに垂直な偏光成分（ＴＭ波）とで屈折率（有効屈折率と呼ぶ）が異なり、複屈折作用が生じることをいう。
【００２９】
サブ波長構造体の周期よりも２倍以上の波長をもつ光が垂直入射したと仮定する。このときの入射光の偏光方向がサブ波長構造体の溝に平行（ＴＥ方向）であるか垂直（ＴＭ方向）であるかによって、サブ波長構造体の有効屈折率は次の式で与えられる。
ｎ（ＴＥ）＝（Ｆ×ｎ2＋（１−Ｆ））1/2
ｎ（ＴＭ）＝（Ｆ／ｎ2＋（１−Ｆ））1/2
【００３０】
入射光の偏光方向がサブ波長構造体の溝に平行である場合の有効屈折率をｎ（ＴＥ）、垂直である場合の有効屈折率をｎ（ＴＭ）と表す。式中の符号Ｆは前述のフィリングファクタである。
【００３１】
このようなサブ波長構造体を透過した光のＴＥ波とＴＭ波の間の位相差（リタデーション）Δは、
Δ＝Δｎ・ｄ
である。ここで、Δｎはｎ（ＴＥ）とｎ（ＴＭ）の差、ｄは前述の溝の深さである。
【００３２】
サブ波長構造領域に直線偏光の光が入射すると、この位相差によってその透過光は楕円偏光に変わる。光学軸方向が互いに異なるサブ波長構造領域が隣り合って配置されている本発明の光学素子を直線偏光の光が透過すると、隣り合うサブ波長構造領域間で楕円率が異なる。
【００３３】
この光学素子で発生する位相差Δは使用する波長λに対して、λ／４≦Δ≦λとなるようにサブ波長構造体が設計されていることが好ましい。これにより、この光学素子の異なる場所を通過した光束同士であってもその干渉を低減することができる。
【００３４】
図１を参照して光学素子１におけるサブ波長構造領域の配置について説明する。
光学素子１は、サブ波長構造領域として第１サブ波長構造領域７（太枠を参照。）と第２サブ波長構造領域９を備えている。これらのサブ波長構造領域７，９は、例えば互いに隙間のない状態で配置されている。ただし、これらのサブ波長構造領域７，９は互いに間隔をもって配置されていてもよい。
【００３５】
サブ波長構造領域７，９は使用する光の波長よりも短い周期で繰り返して配列された溝５（図２を参照。）により構成されるストライプ状の凹凸構造をそれぞれもっている。サブ波長構造領域７，９そのストライプ状の凹凸の配列方向が光学軸方向である。図１において、この光学軸方向は双方向矢印で図示されている。
【００３６】
光学素子１に配置されたサブ波長構造領域７，９において、凹条の溝５の幅Ｓ、凸条のランドの幅Ｌ、ピッチＰ及び溝５の深さｄは同じである。
【００３７】
図１では５×５＝２５個相当のサブ波長構造領域７，９が配置されたものが示されている。ただし、これは概略図であり、サブ波長構造領域７，９の個数は限定されるものではない。サブ波長構造領域７，９の数は多いほどよい。例えば、光学素子１が３ｍｍ×３ｍｍ（ミリメートル）の正方形で、１つのサブ波長構造領域が１０μｍ×１０μｍ（マイクロメートル）であるとすると、３００×３００＝９００００個のサブ波長構造領域７，９が配置された光学素子１となる。
【００３８】
各サブ波長構造領域７，９は１つずつの光学軸方向をもっている。サブ波長構造領域７，９の光学軸方向は、例えば９０度を５分割した方向のいずれかの方向をもつように形成されている。例えば、サブ波長構造領域７，９の光学軸方向は、Ｘ軸に対して反時計回りに０度、２２.５度、４５度、６７.５度、９０度のいずれかである。
【００３９】
第１サブ波長構造領域７は、互いに間隔をもって配置されている。例えば、この実施例では７個の第１サブ波長構造領域７（サブ波長構造領域１３個相当）が配置されている。
【００４０】
第１サブ波長構造領域７の配置における光学軸方向の配置はランダム（不規則）に配置されている。また、第１サブ波長構造領域７として、領域の大きさが互いに異なっているものが含まれている。また、第１サブ波長構造領域７として、領域の形状が互いに異なっているものが含まれている。
【００４１】
第２サブ波長構造領域９は第１サブ波長構造領域７の間に配置されている。例えば、この実施例では１２個の第２サブ波長構造領域９が配置されている。
【００４２】
各第２サブ波長構造領域９の光学軸方向は、ある第１サブ波長構造領域７から隣の第１サブ波長構造領域７にわたって光学軸方向がゆるやかに変化するように設定されている。
【００４３】
このように、光学素子１において、サブ波長構造領域７，９の光学軸方向が徐々に変化されることによって、屈折率が徐々に変化されている。つまり、サブ波長構造領域の光学軸方向がランダムに配置される場合に比べて、隣り合うサブ波長構造領域間の位相差が小さくされている。
【００４４】
サブ波長構造領域間の位相差が小さくなると、光学素子１を透過する光は、サブ波長構造領域７，９が拡大したかのように振る舞うために、サブ波長構造領域７，９の実際のサイズよりも回折角が小さくなる。
したがって、光学素子１は、透過する光の回折光の発生を低減でき、光の透過率を向上させることができる。
【００４５】
また、図１に示された光学素子１において、Ｘ方向又はＹ方向で隣り合う第２サブ波長構造領域９の光学軸方向が同じである箇所は、図３に示されるように、１つの第２サブ波長構造領域９とみなすこともできる。
【００４６】
図３に示されるように、光学素子１において、領域の大きさもしくは領域の形状又はそれらの両方が互いに異なっている第２サブ波長構造領域９が含まれているようにしてもよい。また、光学素子１において、第１サブ波長構造領域７とは領域の大きさもしくは領域の形状又はそれらの両方が互いに異なっている第２サブ波長構造領域９が含まれているようにしてもよい。
【００４７】
また、図４に示されるように、第１サブ波長構造領域７同士が互いに隣り合って配置されている箇所が含まれていてもよい。ここで、隣り合う第１サブ波長構造領域７同士の光学軸方向がなす角度は９０度未満である。この実施例は、図１に示された実施例と同様の効果が得られる。
【００４８】
また、図４に示された光学素子１において、Ｘ方向又はＹ方向で隣り合う第２サブ波長構造領域９の光学軸方向が同じである箇所は、図３に示された実施例と同様に、図５に示されるように、１つの第２サブ波長構造領域９とみなすこともできる。
【００４９】
図６は、光学素子のさらに他の実施例のサブ波長構造領域を概略的に示した平面図である。図７は、図６に示されたサブ波長構造領域の配列における第１サブ波長構造領域と第２サブ波長構造領域の位置を示した平面図である。
【００５０】
図６，７に示された光学素子１において、サブ波長構造領域７，９の光学軸方向は、例えば９０度を８分割した方向のいずれかの方向をもつように形成されている。例えば、サブ波長構造領域７，９の光学軸方向は、Ｘ軸に対して反時計回りに０度、約１２.９度、約２５.７、約３８.６度、約５１.４度、約６４.３度、約７７.１度、９０度のいずれかである。
【００５１】
図６，７に示された光学素子１では、第１サブ波長構造領域７は、より不規則な大きさ及び形状をもって配置されている。図８を参照して第１サブ波長構造領域７の特定の仕方について説明する。
【００５２】
図８は第１サブ波長構造領域を特定する方法を説明するための図である。
第１サブ波長構造領域７は、Ｘ軸方向又はＹ軸方向におけるサブ波長構造領域の配列での光学軸方向の変化が時計回り又は反時計回りから逆方向（反時計回り又は時計回り）に変化する起点になる箇所に位置している。
【００５３】
例えば、図８（Ａ）に示されるように、Ｘ軸方向において光学軸方向が左から順に６７.５度、２２.５度、０度、２２.５度、４５度、６７.５度、９０度、６７.５度、４５度と変化しているとする。光学軸方向の変化が逆方向に変化する起点になる箇所は０度と９０度である。つまり、光学軸方向が０度のサブ波長構造領域と９０度のサブ波長構造領域が第１サブ波長構造領域７となる。
【００５４】
光学軸方向の変化が逆方向に変化する起点になる箇所は、例えば、あるサブ波長構造領域の両隣のサブ波長楮領域の光学軸方向がともに、上記あるサブ波長構造領域の光学軸方向に対してプラス側又はマイナス側になっている箇所である。
【００５５】
例えば、同一角度の光学軸方向をもつ２個のサブ波長構造領域で挟まれた、上記同一角度とは異なる角度の光学軸方向をもつサブ波長構造領域は、光学軸方向の変化が逆方向に変化する起点になる箇所に位置し、第１サブ波長構造領域７になる。
【００５６】
光学軸方向の変化が逆方向に変化する起点になる箇所は１個のサブ波長構造領域で構成されるとは限らない。例えば、図８（Ｂ）に示されるように、Ｘ軸方向において光学軸方向が左から順に６７.５度、０度、２２.５度、６７.５度、６７.５度、６７.５度、４５度、０度、４５度と変化しているとする。この場合、中央の第１サブ波長構造領域７は３個の６７.５度のサブ波長構造領域で構成される。例えば、同一角度の光学軸方向をもつ２個のサブ波長構造領域で挟まれ、かつ、上記同一角度とは異なる角度で同じ角度の光学軸方向をもつ連続する複数のサブ波長構造領域は、第１サブ波長構造領域７になる。
【００５７】
また、第１サブ波長構造領域７の間に配置された複数の第２サブ波長構造領域の光学軸方向の変化は、ある第１サブ波長構造領域７から隣の第１サブ波長構造領域７にわたって光学軸方向がゆるやかに変化していれば、等間隔又は均等に変化していなくてもよい。
【００５８】
例えば、図８（Ｃ）に示されるように、Ｘ軸方向において光学軸方向が左から順に６７.５度、０度、２２.５度、２２.５度、４５度、４５度、４５度、９０度、６７.５度と変化していてもよい。この配列において、光学軸方向が４５度の第２サブ波長構造領域９と９０度の第１サブ波長構造領域７の間に６７.５度のサブ波長構造領域が配置されていない。
【００５９】
第１サブ波長構造領域７間に配置される第２サブ波長構造領域９の光学軸方向は、一方の第１サブ波長構造領域７の光学軸方向と他方の第１サブ波長構造領域７の光学軸方向の間の範囲内であり、光学軸方向の変化を逆方向に変化させない光学軸方向であればよい。例えば、図８（Ｃ）に示された光学軸方向の配列に対して、光学軸方向が０度の第１サブ波長構造領域７と９０度の第１サブ波長構造領域７の間の５個の第２サブ波長構造領域９の光学軸方向をすべて２２.５度、４５度又は６７.５度にしてもよい。
【００６０】
図８を参照してＸ軸方向での第１サブ波長構造領域７を特定する方法について説明したが、Ｙ軸方向についても同様にして第１サブ波長構造領域７を特定することができる。
また、図８では９０度を５分割した光学軸方向が示されているが、例えば９０度を８分割した方向のいずれかの光学軸方向をもつサブ波長構造領域が配列されている構成においても、同様にして第１サブ波長構造領域７を特定することができる。
【００６１】
なお、サブ波長構造領域の光学軸方向は、９０度を５分割又は８分割した方向のいずれかに限定されるものではない。各サブ波長構造領域の光学軸方向は０度から１８０度の間の範囲内であればよい。例えば、各サブ波長構造領域の光学軸方向は、１８０度を均等に又は不均等に複数に分割した方向のいずれかであってもよい。ここで、分割数は３分割以上であれば特に限定されない。また、各サブ波長構造領域の光学軸方向は、予め決定された分割した方向に沿ったものに限定されず、任意の方向に設定されてもよい。なお、溝の配列方向である光学軸方向は双方向に向かうものであるので、光学軸方向は０度から１８０度の範囲内とすることができる。
【００６２】
図６，７を参照して実施例の説明を続ける。
光学素子１において、隣り合っており、間に第２サブ波長構造領域９が配置されていない第１サブ波長構造領域７同士は、それらの第１サブ波長構造領域７の光学軸方向がなす角度が９０度未満になるように光学軸方向が設定されている。ここで、隣り合う第１サブ波長構造領域７同士の光学軸方向がなす角度は、好ましくは６７.５度以下、さらに好ましくは４５度以下、さらに好ましくは２２.５度以下である。
【００６３】
ところで、隣り合うサブ波長構造領域間の位相差が最も大きくなるのは隣り合うサブ波長構造領域の光学軸方向がなす角度が９０度の場合である。隣り合うサブ波長構造領域同士の光学軸方向がなす角度がなるべく小さい方が、隣り合うサブ波長構造領域間の位相差は小さくなる。
【００６４】
光学素子１において、第２サブ波長構造領域９の光学軸方向は、ある第１サブ波長構造領域７から隣の第１サブ波長構造領域７にわたって光学軸方向がゆるやかに変化するように又は光学軸方向が変化しないように設定されている。つまり、光学素子１において、第２サブ波長構造領域９の周囲には、隣り合うサブ波長構造領域の光学軸方向がなす角度が９０度になっている箇所は存在しない。また、第１サブ波長構造領域７同士が隣り合っている箇所においても、隣り合う第１サブ波長構造領域７の光学軸方向がなす角度が９０度になっている箇所は存在しない。したがって、光学素子１は、透過する光の回折光の発生を低減でき、光の透過率を向上させることができる。
【００６５】
なお、図６，７の光学素子１では、隣り合う第１サブ波長構造領域７同士、隣り合う第１サブ波長構造領域７と第２サブ波長構造領域９、又は隣り合う第２サブ波長構造領域９同士において、光学軸方向がなす角度は、最大で約３８.６度（＝９０度÷７×３）である。
【００６６】
また、図７では、ある第１サブ波長構造領域７と、その第１サブ波長構造領域７と同じ光学軸方向をもち、その第１サブ波長構造領域７と隣り合っているサブ波長構造領域は、１つの第１サブ波長構造領域７とされている。
【００６７】
図９は、光学素子のさらに他の実施例のサブ波長構造領域を概略的に示した平面図である。図１０は、図９に示されたサブ波長構造領域の配列における第１サブ波長構造領域と第２サブ波長構造領域の位置を示した平面図である。
【００６８】
図９，８に示された各サブ波長構造領域７，９の光学軸方向は、例えば１８０度を８分割した方向のいずれかの方向をもつように設定されている。例えば、サブ波長構造領域７，９の光学軸方向は、Ｘ軸に対して反時計回りに０度（１８０度）、２２.５度、４５度、６７.５度、９０度、１１２.５度、１３５度、１５７.５度のいずれかである。
【００６９】
図９に示されたサブ波長構造の配置について、第１サブ波長構造領域７は、図８を参照して説明した第１サブ波長構造領域を特定する方法と同様にして特定され得る（図１０を参照。）。
【００７０】
隣り合う第１サブ波長構造領域７同士、隣り合う第２サブ波長構造領域９同士、及び隣り合う第１サブ波長構造領域７と第２サブ波長構造領域９において、光学軸方向がなす角度が９０度になっている箇所は存在しない。したがって、光学素子１は、透過する光の回折光の発生を低減でき、光の透過率を向上させることができる。
【００７１】
なお、図９，１０の光学素子１では、隣り合う第１サブ波長構造領域７同士、隣り合う第１サブ波長構造領域７と第２サブ波長構造領域９、又は隣り合う第２サブ波長構造領域９同士において、光学軸方向がなす角度は、最大で６７.５度である。
【００７２】
以上、本発明の実施例が説明されたが、材料、形状、配置、寸法等は一例であり、本発明はこれらに限定されるものではなく、特許請求の範囲に記載された本発明の範囲内で種々の変更が可能である。
【符号の説明】
【００７３】
１  光学素子
３  基板
５  溝
７  第１サブ波長構造領域
９  第２サブ波長構造領域
【図１】
0006441047.tif 000002
【図２】
0006441047.tif 000003
【図３】
0006441047.tif 000004
【図４】
0006441047.tif 000005
【図５】
0006441047.tif 000006
【図６】
0006441047.tif 000007
【図７】
0006441047.tif 000008
【図８】
0006441047.tif 000009
【図９】
0006441047.tif 000010
【図１０】
0006441047.tif 000011